(57)【要約】【課題】詰まった用紙を見やすい位置まで移動させることにより、用紙の除去を容易に行えるようにする。【解決手段】用紙搬送路Ｓを開放するカバー２０が移動自在に設けられ、カバー２０にラック３０が設けられる。カバー２０が引き出されて移動すると、ラック３０がギア２４に噛み合って搬送ローラ１２が回転する。詰まった用紙Ｐが搬送方向の下流側に向かって送り出される。さらにカバー２０が移動すると、従動ローラ２１を搬送ローラ１２に押し付けるためのレバー３４にリブ３７が当接する。レバー３４が移動して、スプリング３３の付勢力が弱まり、従動ローラ２１が搬送ローラ１２から離れる。カバー２０が取り外れると、用紙搬送路Ｓが開放され、詰まった用紙Ｐが見やすくなる。ユーザは、容易に用紙Ｐを引っ張り出せる。【選択図】図４
2012035942.tif 000002
【特許請求の範囲】
【請求項１】
用紙が通る用紙搬送路に、用紙を搬送するため搬送ローラが設けられ、用紙搬送路を開放するカバーが移動自在に設けられ、カバーの移動に連動して搬送ローラを回転させる連動機構が設けられ、カバーの移動に伴って用紙を送り出すように搬送ローラが回転することを特徴とする画像形成装置。
【請求項２】
用紙を挟んで搬送ローラに相対する案内部材が設けられ、カバーの移動に連動して案内部材を搬送ローラから離す離間機構が設けられ、カバーの移動に伴って案内部材が搬送ローラから離れることを特徴とする請求項１記載の画像形成装置。
【請求項３】
カバーの移動に応じて、先に連動機構が作動した後、離間機構が作動することを特徴とする請求項２記載の画像形成装置。
【請求項４】
連動機構は、搬送ローラに設けられたギアと、カバーに設けられたラックとからなり、カバーの移動に伴ってラックがギアに噛み合うことにより、搬送ローラが回転することを特徴とする請求項２または３記載の画像形成装置。
【請求項５】
案内部材を搬送ローラに押し付ける押付部材が移動可能に設けられ、離間機構は、押付部材を移動させる当接部材を有し、当接部材は、カバーに設けられ、カバーの移動に伴って当接部材が押付部材に当接し、押付部材が搬送ローラから離れる方向に移動して、案内部材が搬送ローラから離れることを特徴とする請求項２または３記載の画像形成装置。
【請求項６】
カバーはキャビネットに着脱自在に設けられ、カバーが取り外されたとき、搬送ローラよりも下流側の用紙搬送路が外部に露出することを特徴とする請求項１〜５のいずれかに記載の画像形成装置。
【発明の詳細な説明】
【技術分野】
【０００１】
本発明は、搬送された用紙に画像を印刷する複写機、複合機、ファクシミリ装置等の画像形成装置に関する。
【背景技術】
【０００２】
画像形成装置では、給紙カセットから用紙が供給され、用紙は用紙搬送路を搬送ローラによって搬送される。画像が印刷された用紙は、さらに搬送されて、排紙トレイに排出される。この搬送中に、用紙のジャムが発生することがある。用紙のジャムでは、搬送ローラとこれに相対する従動ローラとに用紙が挟まれる。
【０００３】
詰まった用紙を容易に取り除くために、特許文献１では、ドア部材を開くと、用紙搬送路が開放されるとともに、搬送ローラ対のニップを解除せず、両ローラがフリーに回転するようになっている。特許文献２では、カバーを開くことにより、用紙搬送路の開放と、搬送ローラのニップの解除とが行われる。
【先行技術文献】
【特許文献】
【０００４】
【特許文献１】特開２０００−１９１１６３号公報
【特許文献１】特開２００５−１３８９７０号公報
【発明の概要】
【発明が解決しようとする課題】
【０００５】
上記のように、用紙搬送路が開放され、搬送ローラから用紙を取り除きやすくされている。しかし、詰まった用紙が見づらい位置にあるとき、用紙搬送路が開放されていても、ユーザは用紙を探して、引き出さなければならない。そのため、用紙を容易に取り除けるとは言い難い。
【０００６】
そこで、本発明は、上記に鑑み、詰まった用紙を見やすい位置まで移動させることにより、用紙の除去を容易に行えるようにした画像形成装置の提供を目的とする。
【課題を解決するための手段】
【０００７】
本発明は、用紙が通る用紙搬送路に、用紙を搬送するため搬送ローラが設けられ、用紙搬送路を開放するカバーが移動自在に設けられ、カバーの移動に連動して搬送ローラを回転させる連動機構が設けられたものである。カバーの移動に伴って用紙を送り出すように搬送ローラが回転する。
【０００８】
連動機構により搬送ローラが回転するので、詰まった用紙が送り出される。見えにくい位置にあった用紙が外部から見える位置まで移動して、用紙を容易に見つけることができる。
【０００９】
用紙を挟んで搬送ローラに相対する案内部材が設けられ、カバーの移動に連動して案内部材を搬送ローラから離す離間機構が設けられる。カバーの移動に伴って案内部材が搬送ローラから離れる。
【００１０】
離間機構により案内部材が搬送ローラから離れるので、搬送ローラと案内部材とに挟みつけられていた用紙が解放される。ユーザは、用紙を容易に引っ張り出すことができる。
そして、カバーの移動に応じて、先に連動機構が作動した後、離間機構が作動する。用紙は見やすい位置まで確実に送り出される。その後、案内部材が搬送ローラから離され、用紙にかかっていた抵抗が解除され、用紙を除去するのに力をかけなくてすみ、用紙を破らずに取り除くことができる。
【００１１】
連動機構は、搬送ローラに設けられたギアと、カバーに設けられたラックとからなる。カバーの移動に伴ってラックがギアに噛み合うことにより、搬送ローラが回転する。また、案内部材を搬送ローラに押し付ける押付部材が移動可能に設けられ、離間機構は、押付部材を移動させる当接部材を有し、当接部材は、カバーに設けられる。カバーの移動に伴って、当接部材が押付部材に当接して押付部材を移動させる。押付部材が搬送ローラから離れる方向に移動することにより、案内部材が搬送ローラから離れる。
【００１２】
カバーはキャビネットに着脱自在に設けられ、カバーが取り外されたとき、搬送ローラよりも下流側の用紙搬送路が外部に露出する。用紙は、搬送ローラよりも下流側に向かって送り出される。カバーが取り外されることにより、搬送ローラから大きく突出した用紙がみやすくなる。
【発明の効果】
【００１３】
本発明によると、ユーザがカバーを移動させることにより、用紙搬送路が解放され、詰まった用紙が見やすい位置まで移動され、用紙にかかっていた抵抗が解除される。したがって、ユーザは、詰まった用紙を容易に見つけることができ、しかも用紙を破ることなく、容易に除去することができる。
【図面の簡単な説明】
【００１４】
【図１】本発明の画像形成装置の全体構成図
【図２】連動機構および離間機構を示す平面図
【図３】連動機構および離間機構を示す正面図
【図４】カバーの移動に連動して搬送ローラが回転するときの連動機構および離間機構を示す正面図
【図５】カバーの移動に連動して従動ローラが搬送ローラから離れるときの連動機構および離間機構を示す正面図
【図６】カバーが取り外されたときの連動機構および離間機構を示す側面図
【図７】カバーが取り外されたときの連動機構および離間機構を示す正面図
【発明を実施するための形態】
【００１５】
本実施形態の画像形成装置を図１に示す。画像形成装置１００は、コピー、プリント、ファクシミリ通信のように、外部から入力された画像データに応じて、所定の用紙に対して多色及び単色の画像を形成する複合機である。画像形成装置１００は、キャビネット１１０と、自動原稿送り装置１２０とから構成されている。キャビネット１１０は、露光部１、現像器２、感光体ドラム３、クリーナ部４、帯電器５、中間転写ベルト部６、定着部７からなる画像形成部を内装している。
【００１６】
キャビネット１１０の上部には、原稿を載置する透明ガラスからなる原稿載置台９２が設けられ、原稿載置台９２の上側に自動原稿送り装置１２０が取り付けられている。自動原稿送り装置１２０は、原稿載置台９２上に自動的に原稿を搬送する。また、自動原稿送り装置１２０は矢印Ｍ方向に回動自在とされ、自動原稿送り装置１２０を開くことにより、原稿載置台９２の上に原稿を手置きで置くことができる。
【００１７】
原稿載置台９２の下方に、読取部９０が配置される。読取部９０は、光源、ミラー、レンズ、ＣＣＤ等から構成される。読取部９０は、原稿載置台９０上の原稿の画像を読み取り、画像データを入力する。
【００１８】
本画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナ部４は、ブラック、シアン、マゼンタ、イエローの各色に応じた４種類の潜像を形成するようにそれぞれ４個ずつ設けられ、これらによって４つの画像ステーションが構成される。  
【００１９】
帯電器５は、感光体ドラム３の表面を所定の電位に均一に帯電させる。露光部１は、レーザ出射部及び反射ミラー等を備えたレーザスキャニング部（ＬＳＵ）とされる。すなわち、露光部１は、レーザビームを走査するポリゴンミラーと、ポリゴンミラーによって反射されたレーザ光を感光体ドラム３に導くためのレンズやミラー等の光学要素を有する。
【００２０】
露光部１は、入力された画像データに応じて、帯電された感光体ドラム３を露光する。感光体ドラム３の表面に、画像データに応じた静電潜像が形成される。現像器２はそれぞれの感光体ドラム３上に形成された静電潜像を４色（ＹＭＣＫ）のトナーにより顕像化する。また、クリーナ部４は、現像、画像転写後における感光体ドラム３上の表面に残留したトナーを除去、回収する。
【００２１】
感光体ドラム３の上方に配置される中間転写ベルト部６は、中間転写ベルト６１、中間転写ベルト駆動ローラ６２、中間転写ベルト従動ローラ６３、中間転写ローラ６４、及び中間転写ベルトクリーニング部６５を備えている。上記中間転写ローラ６４は、ＹＭＣＫ用の各色に対応して４本設けられている。
【００２２】
中間転写ベルト駆動ローラ６２、中間転写ベルト従動ローラ６３、及び中間転写ローラ６４は、中間転写ベルト６１を張架して回転駆動させる。各中間転写ローラ６４は、感光体ドラム３のトナー像を中間転写ベルト６１上に転写するための転写バイアスを与える。
【００２３】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）が形成される。中間転写ベルト６１は、例えば厚さ１００μｍ〜１５０μｍ程度のフィルムを用いて、無端状に形成されている。
【００２４】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）製の軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラを使用しているが、それ以外にブラシなども用いることが可能である。
【００２５】
各感光体ドラム３上で各色に応じて顕像化された静電像は中間転写ベルト６１上に積層される。このように、積層された画像は、中間転写ベルト６１の回転によって、中間転写ベルト６１に対向する転写ローラ１０の位置に搬送される。中間転写ベルト６１と転写ローラ１０との接触位置に用紙が搬送されると、転写ローラ１０によって用紙上にトナー像が転写される。
【００２６】
中間転写ベルト６１と転写ローラ１０は所定ニップで圧接されると共に、転写ローラ１０には、トナーを用紙に転写させるための電圧、すなわちトナーの帯電極性（−）とは逆極性（＋）の高電圧が印加される。さらに、上記ニップを定常的に得るために、転写ローラ１０もしくは中間転写ベルト駆動ローラ６２の何れか一方が硬質材料（金属等）とされ、他方が弾性ローラ等の軟質材料（弾性ゴムローラ、または発泡性樹脂ローラ等）とされる。
【００２７】
感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるので、中間転写ベルトクリーニング部６５によって除去、回収される。中間転写ベルトクリーニング部６５は、中間転写ベルト６１に接触する、例えばクリーニング部材としてクリーニングブレードを備えている。クリーニングブレードが接触する中間転写ベルト６１は、裏側から中間転写ベルト従動ローラ６３で支持されている。
【００２８】
給紙カセット８１は、画像形成に使用する用紙を収容するためのトレイであり、キャビネット１１０の露光部１の下側に設けられている。手差し給紙カセット８２にも画像形成に使用する用紙を置くことができる。排紙トレイ９１が、キャビネット１１０の上部に設けられる。排紙トレイ９１は、印刷済みの用紙をフェイスダウンで集積するためのトレイである。フェイスダウンの場合、片面印刷された用紙の印刷面が下向きになるように、用紙が排出される。
【００２９】
キャビネット１１０には、給紙カセット８１及び手差し給紙カセット８２の用紙を転写ローラ１０や定着部７を経由させて排紙トレイ９１に送るための用紙搬送路Ｓが形成されている。給紙カセット８１および手差し給紙カセット８２から排紙トレイ９１に至る用紙搬送路Ｓは、キャビネット１１０内を略鉛直方向に形成され、用紙搬送路Ｓに沿って、ピックアップローラ１１ａ，１１ｂ、複数の搬送ローラ１２ａ〜１２ｄ、レジストローラ１３、転写ローラ１０、定着部７等が配されている。
【００３０】
搬送ローラ１２ａ〜１２ｄは、用紙の搬送を促進、補助するための駆動ローラであり、用紙搬送路Ｓに沿って複数設けられている。ピックアップローラ１１ａは、給紙カセット８１の端部近傍に配され、給紙カセット８１から用紙を１枚ずつピックアップして用紙搬送路Ｓに供給する。同様に手差し用のピックアップローラ１１ｂは、手差し給紙カセット８２の端部近傍に配され、手差し給紙カセット８２から用紙を１枚ずつピックアップして用紙搬送路Ｓに供給する。
【００３１】
レジストローラ１３は、用紙搬送路Ｓを搬送されている用紙を一旦保持するものである。そして、感光体ドラム３上のトナー像の先端と用紙の先端を合わせるタイミングで用紙を転写ローラ１０に搬送する。
【００３２】
定着部７は、ヒートローラ７１及び加圧ローラ７２を備えており、ヒートローラ７１及び加圧ローラ７２は、用紙を挟んで回転する。ヒートローラ７１は、図示しない温度検出器からの信号に基づいて制御部によって所定の定着温度となるように設定されている。用紙が定着部７を通過するとき、用紙上の未定着トナーが熱で溶融・固着され、用紙に転写された多色トナー像が熱定着される。また、ヒートローラ７１を外部から定着するための外部定着ベルト７３が設けられている。
【００３３】
なお、画像形成装置１００は、ＬＡＮ等のネットワークに接続されるとともに、電話回線にも接続されている。画像形成装置１００は、ネットワークを通じてパソコン、他の画像形成装置といった外部機器とデータ通信を行う通信部を備えている。また、電話回線を通じてファクシミリ通信を行うモデムも備えている。
【００３４】
画像形成装置１００では、給紙カセットから供給された用紙が用紙搬送路Ｓを通って、画像形成部に搬送される。搬送途中に用紙が詰まると、用紙のジャムが発生する。ユーザが詰まった用紙を取り除けるように、用紙搬送路Ｓは開放可能とされる。
【００３５】
図２，３に示すように、キャビネット１１０に、カバー２０が移動自在に設けられる。用紙搬送路Ｓは、キャビネット１１０内を下側から上側に向かって形成される。キャビネット１１０の側面に、用紙搬送路Ｓに沿って開口が形成され、開口を塞ぐカバー２０が移動自在に設けられる。カバー２０は、キャビネットに水平方向にスライド自在に支持される。カバー２０がキャビネット１１０の外側に向かって引き出されると、キャビネット１１０の側面の開口が現れ、開口を通じて用紙搬送路Ｓが外部に露出する。カバー２０はキャビネット１１０に着脱可能とされ、カバー２０が取り外されると、用紙搬送路Ｓが開放されたことになる。
【００３６】
ユーザが用紙をさらに容易に取り除けるように、本画像形成装置では、用紙搬送路Ｓにおいて詰まった用紙Ｐを見やすい位置まで移動させる機構を備えている。すなわち、カバー２０の移動に連動して搬送ローラ１２を回転させる連動機構と、カバー２０の移動に連動して案内部材を搬送ローラ１２から離す離間機構とを備えている。案内部材を搬送ローラ１２に押し付ける押付部材が移動可能に設けられ、離間機構は、案内部材を搬送ローラ１２から離すために、押付部材を移動させる当接部材を有する。
【００３７】
用紙Ｐのジャムが発生したとき、カバー２０の移動に伴って用紙Ｐを送り出すように搬送ローラ１２が回転する。さらに、カバー２０の移動に伴って案内部材が搬送ローラ１２から離れる。案内部材は、用紙Ｐを挟んで搬送ローラ１２に対向する従動ローラ２１である。
【００３８】
搬送ローラ１２の回転軸２２の一端に駆動ギア２３が取り付けられ、駆動ギア２３に噛み合う中間ギア２４が設けられる。中間ギア２４の支軸２５は、キャビネット１１０に回転自在に支持される。カバー２０に、ラック３０が一体的に設けられる。ラック３０は、カバー２０から内側に向かって水平方向に延設された棒３１に形成される。ラック３０は、用紙搬送路Ｓの幅方向の一端側に位置するとともに、中間ギア２４よりも上側、すなわち搬送ローラ１２の下流側に位置する。中間ギア２４は、ラック３０の移動方向に応じて、搬送ローラ１２と一体的に回転する駆動ギア２３を正回転させるために設けられる。搬送ローラ１２が用紙Ｐを下流側、ここでは下側から上側に向かって送り出すように回転する方向が正回転とされる。カバー２０のラック３０、搬送ローラ１２に設けられた駆動ギア２３によって、連動機構が構成される。なお、中間ギア２４は必要に応じて設けられる。
【００３９】
カバー２０が外側に向かって移動して、ラック３０が中間ギア２４と噛み合うことにより、駆動ギア２３が回転する。これに伴って回転軸２２が回転し、搬送ローラ１２が正回転する。なお、回転軸２２は、モータの軸にギアを介して連結され、モータにより回転されるが、モータの停止中は、回転軸２２は連動機構によって回転可能とされる。
【００４０】
従動ローラ２１は、支軸３２に回転自在に支持される。支軸３２はキャビネット１１０に移動自在に支持される。従動ローラ２１を搬送ローラ１２に圧接させるために、第１スプリング３３が設けられる。第１スプリング３３の一端が支軸３２に取り付けられ、他端がレバー３４に保持される。第１スプリング３３は、支軸３２の両端にそれぞれ配される。この圧縮スプリング３３が支軸３２を押すことにより、従動ローラ２１が搬送ローラ１２に圧接され、両ローラ１２、２１間にニップが形成される。
【００４１】
レバー３４は、平板状に形成され、レバー３４の内面側に各第１スプリング３３が当接している。そして、レバー３４は、カバー２０の移動に伴って移動可能とされる。すなわち、レバー３４の下端に支点３５が形成され、支点３５がキャビネット１１０に回転自在に保持される。レバー３４は、支点３５周りに回転する。レバー３４を押圧する第２スプリング３６が設けられる。第２スプリング３６の一端は、レバー３４の外面側に取り付けられ、他端は、カバー２０に当接している。カバー２０が閉じているとき、この圧縮スプリング３６により、レバー３４は従動ローラ２１の方向に押され、第１スプリング３３からも逆方向に押されて、レバー３４は定位置に静止する。このレバー３４が、従動ローラ２１を搬送ローラ１２に押し付ける押付部材とされる。
【００４２】
カバー２０の棒３１に、レバー３４に当接するリブ３７が設けられる。リブ３７は、カバー２０の移動に伴ってレバー３４に当接して、レバー３４を第２スプリング３６の付勢力に抗して移動させる。すなわち、リブ３７が当接部材とされる。レバー３４が搬送ローラ１２から離れる方向に回転することにより、支軸３２に対する第１スプリング３３の付勢力が弱まり、従動ローラ２１が搬送ローラ１２から離れる。これによって、搬送ローラ１２と従動ローラ２１とのニップが解除される。
【００４３】
次に、用紙Ｐのジャムを解消するときの手順を説明する。用紙Ｐが搬送されるとき、図３に示すように、カバー２０は閉じており、従動ローラ２１は、第１、第２スプリング３３、３６によって搬送ローラ１２に押し付けられる。用紙Ｐは、搬送ローラ１２の回転により用紙搬送路Ｓを下側から上側に向かって搬送される。この搬送中、用紙Ｐのジャムが発生すると、搬送ローラ１２の回転が停止し、用紙Ｐは搬送ローラ１２と従動ローラ２１とに挟まれて詰まる。
【００４４】
ユーザはカバー２０を引き出す。図４に示すように、カバー２０は外側に向かって移動する。カバー２０の移動によって、ラック３０が中間ギア２４に噛み合う。このとき、リブ３７は、まだレバー３４に当接していない。さらに、カバー２０が移動すると、中間ギア２４を介して駆動ギア２３が回転し、搬送ローラ１２が正回転する。搬送ローラ１２と従動ローラ２１とに挟み込まれた用紙Ｐは、搬送方向の下流側に向かって送り出される。
【００４５】
さらに、カバー２０が移動すると、図５に示すように、ラック３０が中間ギア２４を通過し、搬送ローラ１２は回転しなくなる。リブ３７がレバー３４に当接する。カバー２０の移動に伴って、レバー３４が押され、レバー３４は支点３５周りに回転する。レバー３４が従動ローラ２１から離れる方向に移動すると、第１スプリング３３の付勢力が弱まって、従動ローラ２１は搬送ローラ１２から離れる。
【００４６】
図６、７に示すように、カバー２０が取り外されると、第２スプリング３６の他端の支持がなくなる。レバー３４は、フリーとなって、外側に向かって大きく傾く。搬送ローラ１２の下流側において、用紙搬送路Ｓは開放され、詰まった用紙Ｐをキャビネット１１０の開口から臨むことができる。しかも、先に用紙Ｐが送り出され、その後に搬送ローラ１２のニップが解除される。用紙Ｐは搬送ローラ１２から大きく突出して、ユーザは用紙Ｐを容易に見つけることができる。そして、挟み付けられている用紙Ｐを引っ張り出すのに抵抗がかかるが、ニップが解除されているので、用紙Ｐにかかっていた抵抗がなくなり、用紙Ｐを除去するのに力をかけなくてすみ、ユーザが用紙Ｐを掴んで引っ張り出しやすくなる。したがって、用紙Ｐを破らずに取り除くことができ、用紙Ｐの除去を容易に行うことができる。
【００４７】
用紙Ｐが除去された後、カバー２０がキャビネット１１０に装着される。カバー２０が押し込まれ、リブ３７がレバー３４の上を通り過ぎると、カバー２０が第２スプリング３６の他端に当接する。カバー２０が内側に向かって移動すると、第２スプリング３６が押されて、レバー３４が起き上がり、レバー３４が第１スプリング３３に当接する。カバー２０が完全に閉じると、レバー３４は定位置に停止し、第１スプリング３３の付勢力によって従動ローラ２１は搬送ローラ１２に押し付けられ、用紙Ｐの搬送が可能となる。
【００４８】
なお、本発明は、上記実施形態に限定されるものではなく、本発明の範囲内で上記実施形態に多くの修正および変更を加え得ることは勿論である。カバーが水平方向にスライド自在とされているが、カバーを軸周りに回転自在としてもよい。カバーに円弧状のアームを設け、アームにラックを形成するとともに、リブを形成する。カバーの開放に伴って、アームが円周上を移動するとき、中間ギアと噛み合い、その後リブがレバーに当接する。
【００４９】
案内部材として、従動ローラの代わりに、搬送ローラに相対するガイド板であってもよい。用紙搬送路の形状に応じて、ガイド板は、平坦に形成されたり、湾曲して形成される。このガイド板が、離間機構により搬送ローラから離される。
【符号の説明】
【００５０】
１２    搬送ローラ
２０    カバー
２１    従動ローラ
２３    駆動ギア
２４    中間ギア
３０    ラック
３３    第１スプリング
３４    レバー
３６    第２スプリング
３７    リブ
【図１】
2012035942.tif 000003
【図２】
2012035942.tif 000004
【図３】
2012035942.tif 000005
【図４】
2012035942.tif 000006
【図５】
2012035942.tif 000007
【図６】
2012035942.tif 000008
【図７】
2012035942.tif 000009